(57)【要約】【課題】観覧装置の利用者に対して、観覧対象物に関する情報をタイミングよく提供することができる情報提供方法及び情報提供プログラムを提供する。【解決手段】望遠鏡１１の制御装置１４は、回動が停止されたときに望遠鏡１１の仰角・俯角及び旋回角とズーム倍率とのデータを情報提供システム２０に送信する。情報提供システム２０の管理コンピュータ２１は、受信したデータから望遠鏡１１のディスプレイ１２のウィンドウの座標を算出し、対象物特定情報記憶部２２から対象物ｍ１〜ｍ３の中心座標を取得する。管理コンピュータ２１は、座標を比較することにより、ウィンドウに表示されている対象物ｍ１に関する情報を対象物情報記憶部２３から取得し、それに基づいて文字情報画面の画面データを作成して、制御装置１４に送信する。制御装置１４は、ウィンドウに表示されている映像に、文字情報画面の画面データを重ね合わせて、情報を提供する。【選択図】      図１
2005175712.tif 000002
【特許請求の範囲】
【請求項１】
対象物の表示範囲を変更するために回動可能に支持される観覧装置と、この観覧装置に前記対象物に関する情報を表示させるコンピュータとを用いて行う対象物に関する情報提供方法であって、
前記コンピュータは、
前記観覧装置の回動情報に基づいて、前記観覧装置に表示される対象物を特定し、その情報を取得する情報取得段階と、
前記取得した前記対象物に関する情報を、観覧装置の前記表示範囲に重畳して表示させる表示段階と
を含むことを特徴とする情報提供方法。
【請求項２】
前記コンピュータは、対象物の座標を記録する対象物特定情報記憶部を備えており、
前記情報取得段階は、
前記観覧装置の回動の停止を検出したときの前記回動情報に基づいて、前記観覧装置の回動の停止時の前記表示範囲の座標を算出する表示範囲算出段階と、
算出された前記表示範囲の座標と、前記対象物特定情報記憶部に記録された対象物の座標とを比較することにより、前記表示範囲に表示される対象物を特定する特定段階と
を含むことを特徴とする請求項１に記載の情報提供方法。
【請求項３】
前記観覧装置は、焦点調節手段を備え、
前記コンピュータは、対象物までの距離情報を記憶する対象物距離情報記憶部を備えており、
前記情報取得段階は、前記観覧装置の回動の停止を検出したときの前記焦点調節手段からの焦点情報と、前記対象物距離情報記憶部に記録された前記距離情報とに基づいて、前記対象物を特定する焦点対象物特定段階を含むことを特徴とする請求項１に記載の情報提供方法。
【請求項４】
前記コンピュータは、前記観覧装置の回動を検出したときに、前記表示段階において表示された前記対象物に関する情報の表示を停止する停止段階を更に含むことを特徴とする請求項２に又は３に記載の情報提供方法。
【請求項５】
前記コンピュータは、前記観覧装置の回動の停止を検出したときに、前記表示範囲に表示される対象物を記録する表示対象物記録段階を更に備え、
前記情報取得段階は、前記表示対象物記録段階において記録された対象物が複数ある場合に、記録された対象物相互に関する情報を取得することを特徴とする請求項２〜４のいずれか１つに記載の情報提供方法。
【請求項６】
前記回動情報には、前記観覧装置の回動軌跡に関する情報が含まれており、
前記コンピュータは、前記回動軌跡に関する情報に基づいて、対象物に関する情報を選択する選択段階を更に含み、
前記表示段階は、前記選択段階で選択された前記対象物に関する情報を前記表示範囲に重畳して表示させることを特徴とする請求項１〜５のいずれか１つに記載の情報提供方法。
【請求項７】
前記コンピュータは、印刷装置に接続されており、
前記コンピュータは、所定期間内において、前記表示範囲に表示される対象物に関する情報を、前記印刷装置において印刷させる印刷段階を含むことを特徴とする請求項２〜６のいずれか１つに記載の情報提供方法。
【請求項８】
前記情報取得段階は、特定の対象物を前記観覧装置の表示範囲内とするために回動させる方向に関する情報を、前記回動情報に基づいて取得する段階であることを特徴とする請求項１〜７のいずれか１つに記載の情報提供方法。
【請求項９】
前記コンピュータは、前記対象物に関する情報を記憶した対象物情報記憶部を備え、
前記対象物が商店である場合に、前記コンピュータが、情報を前記対象物情報記憶部に対して、前記商店からの情報の登録を許容する段階を更に含み、
前記情報取得段階は、前記対象物情報記憶部に記録された前記商店からの情報を取得することを特徴とすることを請求項１〜８のいずれか１つに記載の情報提供方法。
【請求項１０】
対象物の表示範囲を変更するために回動可能に支持される観覧装置と、この観覧装置に前記対象物に関する情報を表示させるコンピュータとを用いて行う対象物に関する情報提供プログラムであって、
前記コンピュータを、
前記観覧装置の回動情報に基づいて、前記観覧装置に表示される対象物を特定し、その情報を取得する情報取得手段、及び
前記取得した前記対象物に関する情報を、観覧装置の前記表示範囲に重畳して表示させる表示手段
として機能させることを特徴とする情報提供プログラム。
【請求項１１】
前記コンピュータは、対象物の座標を記録する対象物特定情報記憶部を備えており、
前記情報取得手段は、
前記観覧装置の回動の停止を検出したときの前記回動情報に基づいて、前記観覧装置の回動の停止時の前記表示範囲の座標を算出する表示範囲算出手段と、
算出された前記表示範囲の座標と、前記対象物特定情報記憶部に記録された対象物の座標とを比較することにより、前記表示範囲に表示される対象物を特定する特定手段と
を含むことを特徴とする請求項１０に記載の情報提供プログラム。
【請求項１２】
前記観覧装置は、焦点調節手段を備え、
前記コンピュータは、対象物までの距離情報を記憶する対象物距離情報記憶部を備えており、
前記情報取得手段は、前記観覧装置の回動の停止を検出したときの前記焦点調節手段からの焦点情報と、前記対象物距離情報記憶部に記録された前記距離情報とに基づいて、前記対象物を特定する焦点対象物特定手段を含むことを特徴とする請求項１０に記載の情報提供プログラム。
【請求項１３】
前記コンピュータを、前記観覧装置の回動を検出したときに、前記表示手段において表示された前記対象物に関する情報の表示を停止する停止手段として更に機能させることを特徴とする請求項１１又は１２に記載の情報提供プログラム。
【請求項１４】
前記コンピュータを、前記観覧装置の回動の停止を検出したときに、前記表示範囲に表示される対象物を記録する表示対象物記録手段として更に機能させ、
前記情報取得手段は、前記表示対象物記録手段において記録された対象物が複数ある場合に、記録された対象物相互に関する情報を取得することを特徴とする請求項１１〜１３のいずれか１つに記載の情報提供プログラム。
【請求項１５】
前記回動情報には、前記観覧装置の回動軌跡に関する情報が含まれており、
前記コンピュータを、前記回動軌跡に関する情報に基づいて、対象物に関する情報を選択する選択手段として更に機能させ、
前記表示手段は、前記選択手段で選択された前記対象物に関する情報を前記表示範囲に
重畳して表示させることを特徴とする請求項１０〜１４のいずれか１つに記載の情報提供プログラム。
【請求項１６】
前記コンピュータは、印刷装置に接続されており、
前記コンピュータを、所定期間内において、前記表示範囲に表示される対象物に関する情報を、前記印刷装置において印刷させる印刷手段として更に機能させることを特徴とする請求項１１〜１５のいずれか１つに記載の情報提供プログラム。
【請求項１７】
前記情報取得手段は、特定の対象物を前記観覧装置の表示範囲内とするために回動させる方向に関する情報を、前記回動情報に基づいて取得する手段であることを特徴とする請求項１０〜１６のいずれか１つに記載の情報提供プログラム。
【請求項１８】
前記コンピュータは、前記対象物に関する情報を記憶した対象物情報記憶部を備え、
前記対象物が商店である場合に、前記コンピュータを、情報を前記対象物情報記憶部に対して、前記商店からの情報の登録を許容する手段として更に機能させ、
前記情報取得手段は、前記対象物情報記憶部に記録された前記商店からの情報を取得することを特徴とすることを請求項１０〜１７のいずれか１つに記載の情報提供プログラム。
【発明の詳細な説明】
【技術分野】
【０００１】
本発明は、観覧の対象物に関する情報を提供する情報提供方法及び情報提供プログラムに関する。
【背景技術】
【０００２】
一般に、カメラを用いて風景等を撮影した場合、その写真の説明を付加することがある。更に、デジタルカメラを用いて、撮影した風景についての情報を文字情報として、撮影した画像とともに記憶させる技術も開示されている（例えば、特許文献１参照。）。この特許文献１においては、文字入力を行った後、シャッターボタンを押下すると、撮影された画像に、文字データを重ね合わせた画像ファイルが保存される。
【０００３】
また、望遠鏡を介して観覧されている風景に、特定の文字情報を映し出す技術も開示されている（例えば、特許文献２参照。）。この特許文献２では、例えば野球観戦などにおいて、利用者が望遠鏡のボタンを押下すると、試合の進行状況についての情報などが風景に重ね合わせられて表示される。これにより、対象物を見ている利用者に対して、視野角が狭い望遠鏡においても、所定の情報を提供することができる。
【特許文献１】特開２００３−１３４３５９号公報（図３）
【特許文献２】特開２０００−２４１７１６号公報（図４）
【発明の開示】
【発明が解決しようとする課題】
【０００４】
しかしながら、特許文献２に記載の望遠鏡においては、利用者が実際に見ている対象物に関する情報を取得することができない。従って、利用者が、望遠鏡により観覧した対象物について興味を持ち、その対象物についての情報を得たい場合には、例えば、その対象物の特徴を覚えて、後から調べることが必要であった。
【０００５】
特に、展望台などに固定された望遠鏡を用いて実際に見た対象物について興味を持った場合には、その対象物の方向や指標となる他の対象物との位置関係から、その対象物を後から調べることが必要であった。
【０００６】
更に、望遠鏡は、視野角が狭いために、現在、映し出している映像がどこの部分であるかを把握することは難しい。この場合、利用者は、望遠鏡から視線を外して風景全体を眺め、風景全体の一部と、望遠鏡の映像とを比較しながら、映像の位置を特定する必要があった。このため、利用者は、目標の対象物を見るために望遠鏡を動かす方向がわからず、容易に目標の対象物を探すことができなかった。
【０００７】
また、特許文献２に記載の望遠鏡では、観覧している情報を取得するために、望遠鏡のボタンを押下する必要がある。このため、利用者は、情報をタイムリーに取得することができなかった。
【０００８】
本発明は、上述した問題に鑑みてなされ、その目的は、観覧装置の利用者に対して、観覧対象物に関する情報をタイミングよく提供することができる情報提供方法及び情報提供プログラムを提供することにある。
【課題を解決するための手段】
【０００９】
上記問題点を解決するために、請求項１に記載の発明は、対象物の表示範囲を変更するために回動可能に支持される観覧装置と、この観覧装置に前記対象物に関する情報を表示
させるコンピュータとを用いて行う対象物に関する情報提供方法であって、前記コンピュータは、前記観覧装置の回動情報に基づいて、前記観覧装置に表示される対象物を特定し、その情報を取得する情報取得段階と、前記取得した前記対象物に関する情報を、観覧装置の前記表示範囲に重畳して表示させる表示段階とを含むことを要旨とする。
【００１０】
請求項２に記載の発明は、請求項１に記載の情報提供方法において、前記コンピュータは、対象物の座標を記録する対象物特定情報記憶部を備えており、前記情報取得段階は、前記観覧装置の回動の停止を検出したときの前記回動情報に基づいて、前記観覧装置の回動の停止時の前記表示範囲の座標を算出する表示範囲算出段階と、算出された前記表示範囲の座標と、前記対象物特定情報記憶部に記録された対象物の座標とを比較することにより、前記表示範囲に表示される対象物を特定する特定段階とを含むことを要旨とする。
【００１１】
請求項３に記載の発明は、請求項１に記載の情報提供方法において、前記観覧装置は、焦点調節手段を備え、前記コンピュータは、対象物までの距離情報を記憶する対象物距離情報記憶部を備えており、前記情報取得段階は、前記観覧装置の回動の停止を検出したときの前記焦点調節手段からの焦点情報と、前記対象物距離情報記憶部に記録された前記距離情報とに基づいて、前記対象物を特定する焦点対象物特定段階を含むことを要旨とする。
【００１２】
請求項４に記載の発明は、請求項２に又は３に記載の情報提供方法において、前記コンピュータは、前記観覧装置の回動を検出したときに、前記表示段階において表示された前記対象物に関する情報の表示を停止する停止段階を更に含むことを要旨とする。
【００１３】
請求項５に記載の発明は、請求項２〜４のいずれか１つに記載の情報提供方法において、前記コンピュータは、前記観覧装置の回動の停止を検出したときに、前記表示範囲に表示される対象物を記録する表示対象物記録段階を更に備え、前記情報取得段階は、前記表示対象物記録段階において記録された対象物が複数ある場合に、記録された対象物相互に関する情報を取得することを要旨とする。
【００１４】
請求項６に記載の発明は、請求項１〜５のいずれか１つに記載の情報提供方法において、前記回動情報には、前記観覧装置の回動軌跡に関する情報が含まれており、前記コンピュータは、前記回動軌跡に関する情報に基づいて、対象物に関する情報を選択する選択段階を更に含み、前記表示段階は、前記選択段階で選択された前記対象物に関する情報を前記表示範囲に重畳して表示させることを要旨とする。
【００１５】
請求項７に記載の発明は、請求項２〜６のいずれか１つに記載の情報提供方法において、前記コンピュータは、印刷装置に接続されており、前記コンピュータは、所定期間内において、前記表示範囲に表示される対象物に関する情報を、前記印刷装置において印刷させる印刷段階を含むことを要旨とする。
【００１６】
請求項８に記載の発明は、請求項１〜７のいずれか１つに記載の情報提供方法において、前記情報取得段階は、特定の対象物を前記観覧装置の表示範囲内とするために回動させる方向に関する情報を、前記回動情報に基づいて取得する段階であることを要旨とする。
【００１７】
請求項９に記載の発明は、請求項１〜８のいずれか１つに記載の情報提供方法において、前記コンピュータは、前記対象物に関する情報を記憶した対象物情報記憶部を備え、前記対象物が商店である場合に、前記コンピュータが、情報を前記対象物情報記憶部に対して、前記商店からの情報の登録を許容する段階を更に含み、前記情報取得段階は、前記対象物情報記憶部に記録された前記商店からの情報を取得することを要旨とする。
【００１８】
請求項１０に記載の発明は、対象物の表示範囲を変更するために回動可能に支持される観覧装置と、この観覧装置に前記対象物に関する情報を表示させるコンピュータとを用いて行う対象物に関する情報提供プログラムであって、前記コンピュータを、前記観覧装置の回動情報に基づいて、前記観覧装置に表示される対象物を特定し、その情報を取得する情報取得手段、及び前記取得した前記対象物に関する情報を、観覧装置の前記表示範囲に重畳して表示させる表示手段として機能させることを要旨とする。
【００１９】
請求項１１に記載の発明は、請求項１０に記載の情報提供プログラムにおいて、前記コンピュータは、対象物の座標を記録する対象物特定情報記憶部を備えており、前記情報取得手段は、前記観覧装置の回動の停止を検出したときの前記回動情報に基づいて、前記観覧装置の回動の停止時の前記表示範囲の座標を算出する表示範囲算出手段と、算出された前記表示範囲の座標と、前記対象物特定情報記憶部に記録された対象物の座標とを比較することにより、前記表示範囲に表示される対象物を特定する特定手段とを含むことを要旨とする。
【００２０】
請求項１２に記載の発明は、請求項１０に記載の情報提供プログラムにおいて、前記観覧装置は、焦点調節手段を備え、前記コンピュータは、対象物までの距離情報を記憶する対象物距離情報記憶部を備えており、前記情報取得手段は、前記観覧装置の回動の停止を検出したときの前記焦点調節手段からの焦点情報と、前記対象物距離情報記憶部に記録された前記距離情報とに基づいて、前記対象物を特定する焦点対象物特定手段を含むことを要旨とする。
【００２１】
請求項１３に記載の発明は、請求項１１又は１２に記載の情報提供プログラムにおいて、前記コンピュータを、前記観覧装置の回動を検出したときに、前記表示手段において表示された前記対象物に関する情報の表示を停止する停止手段として更に機能させることを要旨とする。
【００２２】
請求項１４に記載の発明は、請求項１１〜１３のいずれか１つに記載の情報提供プログラムにおいて、前記コンピュータを、前記観覧装置の回動の停止を検出したときに、前記表示範囲に表示される対象物を記録する表示対象物記録手段として更に機能させ、前記情報取得手段は、前記表示対象物記録手段において記録された対象物が複数ある場合に、記録された対象物相互に関する情報を取得することを要旨とする。
【００２３】
請求項１５に記載の発明は、請求項１０〜１４のいずれか１つに記載の情報提供プログラムにおいて、前記回動情報には、前記観覧装置の回動軌跡に関する情報が含まれており、前記コンピュータを、前記回動軌跡に関する情報に基づいて、対象物に関する情報を選択する選択手段として更に機能させ、前記表示手段は、前記選択手段で選択された前記対象物に関する情報を前記表示範囲に重畳して表示させることを要旨とする。
【００２４】
請求項１６に記載の発明は、請求項１１〜１５のいずれか１つに記載の情報提供プログラムにおいて、前記コンピュータは、印刷装置に接続されており、前記コンピュータを、所定期間内において、前記表示範囲に表示される対象物に関する情報を、前記印刷装置において印刷させる印刷手段として更に機能させることを要旨とする。
【００２５】
請求項１７に記載の発明は、請求項１０〜１６のいずれか１つに記載の情報提供プログラムにおいて、前記情報取得手段は、特定の対象物を前記観覧装置の表示範囲内とするために回動させる方向に関する情報を、前記回動情報に基づいて取得する手段であることを要旨とする。
【００２６】
請求項１８に記載の発明は、請求項１０〜１７のいずれか１つに記載の情報提供プログ
ラムにおいて、前記コンピュータは、前記対象物に関する情報を記憶した対象物情報記憶部を備え、前記対象物が商店である場合に、前記コンピュータを、情報を前記対象物情報記憶部に対して、前記商店からの情報の登録を許容する手段として更に機能させ、前記情報取得手段は、前記対象物情報記憶部に記録された前記商店からの情報を取得することを要旨とする。
【００２７】
（作用）
請求項１又は１０に記載の発明によれば、コンピュータは、観覧装置の回動又は回動の停止を検出すると、自動的に、観覧装置の回動情報に基づいて、対象物に関する情報を特定して取得し、その情報を観覧装置の表示範囲に表示させる。このため、観覧装置の動きに応じて、対象物の情報を提供することができる。従って、利用者は、情報の提供を受けるための動作を何らしなくても、観覧装置を眺めているだけで、観覧装置に表示可能な対象物に関する情報を容易に得ることができる。
【００２８】
請求項２又は１１に記載の発明によれば、コンピュータは、観覧装置の回動が停止したときの回動情報に基づいて観覧装置の表示範囲の座標を算出し、この座標と対象物の座標とを比較して、表示範囲に表示される対象物を特定する。このため、コンピュータは、利用者が観覧装置を停止して現在観覧している対象物についての情報を表示して提供することができる。従って、利用者は、詳細に観覧している対象物についての情報を容易に得ることができる。
【００２９】
請求項３又は１２に記載の発明によれば、コンピュータは、観覧装置の回動が停止したときの焦点情報に基づいて対象物を特定する。このため、コンピュータは、利用者が観覧装置を停止して現在観覧している対象物をより確実に把握して、それについての情報を表示して提供することができる。従って、利用者は、詳細に観覧している対象物についての情報を容易に得ることができる。
【００３０】
請求項４又は１３に記載の発明によれば、観覧装置の回動により表示範囲が変更されることにより、対象物に関する情報の表示を停止する。このため、利用者が観覧装置を回動させて、他の対象物を検索している場合には、情報の表示が停止されているので、表示された情報が邪魔にならずに、他の対象物を見つけやすい。
【００３１】
請求項５又は１４に記載の発明によれば、観覧装置の表示範囲内となった対象物が停止することにより、コンピュータは、利用者が観覧していた対象物相互に関する情報を取得する。このため、コンピュータは、利用者が観覧していた対象物相互に関する情報を容易に提供することができる。
【００３２】
請求項６又は１５に記載の発明によれば、コンピュータは、回動軌跡に関する情報に基づいて、対象物に関する情報を選択し、選択された対象物に関する情報を観覧装置の表示範囲に重畳して表示させる。このため、観覧装置の回動軌跡に基づいて、対象物に関する多様な情報からその利用者に適する情報を選択して利用者に提供することができる。従って、観覧装置を観覧している利用者に適した対象物に関する情報を効率よく提供することができる。
【００３３】
請求項７又は１６に記載の発明によれば、コンピュータは、所定期間内において表示範囲に表示された対象物に関する情報を印刷装置によって印刷する。このため、コンピュータは、観覧装置を利用した利用者に対して、その利用者が観覧した対象物に関する情報を印刷記録媒体で提供することができる。従って、利用者は、取得した情報を印刷記録媒体を介して容易に保存することができる。
【００３４】
請求項８又は１７に記載の発明によれば、コンピュータは、特定の対象物を観覧装置の表示範囲内とするために回動される方向に関する情報を、回動情報に基づいて取得する。このため、利用者は、特定の対象物を指標にしながら、所望する対象物を容易に探して観覧することができる。
【００３５】
請求項９又は１８に記載の発明によれば、対象物が商店であった場合には、その商店からの情報を、観覧装置に表示することができる。このため、店舗は、メッセージによる広告効果が期待できるので、より多くの利用者を集めることができる。
【発明の効果】
【００３６】
本発明によれば、観覧装置の利用者に対して、観覧対象物に関する情報をタイミングよく提供することができる。
【発明を実施するための最良の形態】
【００３７】
以下、本発明を具体化した一実施形態を図１〜図１０に基づいて説明する。本実施形態においては、図１に示すように、観覧装置としての望遠鏡１１を用いて、対象物ｍ１，ｍ２，ｍ３を観覧する場合を説明する。ここで、対象物ｍ１，ｍ２，ｍ３は、それぞれ「高原牧場」、「高原ホテル」、「○○山山頂」を意味している。
【００３８】
図１に示すように、望遠鏡１１は、地面に固定された支持台１５によって、回動可能に取り付けられている。具体的には、望遠鏡１１は、所定の仰角、俯角の範囲で垂直方向に回動可能になっている。また、望遠鏡１１は、所定の旋回角の範囲で水平方向に回動可能になっている。本実施形態では、所定範囲で回動し、望遠鏡１１は、図２に示す視野ＦＶ内にある風景を写し出すことができる。
【００３９】
更に、望遠鏡１１は、図示しない仰角・俯角検出器と旋回角検出器とを有している。仰角・俯角検出器は、現在の望遠鏡１１の仰角又は俯角を検出する。旋回角検出器は、基準位置からの旋回角を検出する。本実施形態では、旋回角の基準位置は、最大旋回角を二等分する中心位置とする。
【００４０】
図１に示すように、望遠鏡１１には、風景を観覧するためのディスプレイ１２が設けられている。このディスプレイ１２は、図２に示すように、ウィンドウＷによって切り取った視野ＦＶ内の風景を表示する。なお、このウィンドウＷの各端は、ａ，ｂ，ｃ，ｄで表示する。
【００４１】
図１に示すように、望遠鏡１１には、ディスプレイ１２の左右に１対の把持部１３が設けられている。この把持部１３は、望遠鏡１１を水平方向及び垂直方向に回動させるために用いられる。従って、望遠鏡１１は、把持部１３を把持した利用者により垂直方向及び水平方向に回動させられて、図２の視野ＦＶ内の任意の位置の一部を、ウィンドウＷとして表示する。
【００４２】
また、望遠鏡１１には、複数のレンズと、ズーム機構と、焦点を自動に調節するオートフォーカス機構とが内蔵されている。更に、望遠鏡１１には、図示しないズームスイッチが設けられている。ズームスイッチは、ズーム機構及びオートフォーカス機構を用いて、望遠映像を拡大又は縮小するためのスイッチである。従って、望遠鏡１１は、ズームスイッチが押下されることによって、ウィンドウＷに表示される映像のズーム率が変更可能となっている。
【００４３】
望遠鏡１１には制御装置１４が設けられている。この制御装置１４は、硬貨投入部とタイマとを備えている。そして、制御装置１４は、硬貨投入部に所定の硬貨が投入されると
、タイマによって計測される所定時間（例えば２分）だけ、望遠鏡１１のレンズを介してディスプレイ１２に風景を映像として表示し、望遠鏡１１の回動を許容する。
【００４４】
この制御装置１４は、情報提供システム２０に接続されており、この情報提供システム２０とのデータの送受信を行う。具体的には、制御装置１４は、ズームスイッチからの受信信号に基づいて算出したズーム率と、仰角・俯角検出器及び旋回角検出器からの検出角度データを情報提供システム２０に送信する。
【００４５】
情報提供システム２０は、管理コンピュータ２１を備える。管理コンピュータ２１は、図示しないＣＰＵ、ＲＡＭ及びＲＯＭ等を有し、制御装置１４と協働して、後述する処理（表示範囲算出段階及び特定段階を含む情報取得段階、表示段階、停止段階、表示対象物記録段階、選択段階及び印刷段階等を含む処理）を行う。そして、このための情報提供プログラムを実行することにより、管理コンピュータ２１は、制御装置１４と協働して、表示範囲算出手段及び特定手段を含む情報取得手段、表示手段、停止手段、表示対象物記録手段、選択手段及び印刷手段等として機能する。
【００４６】
また、情報提供システム２０の管理コンピュータ２１は、対象物特定情報記憶部２２、対象物情報記憶部２３及び移動情報記憶部２４に接続されている。
図３に示すように、対象物特定情報記憶部２２には、対象物を特定するための対象物特定情報２２０が記録されている。対象物特定情報は、各対象物についての登録が行われたときに記録される。また、対象物特定情報２２０は、対象物識別子及び対象物座標に関するデータを含んで構成される。
【００４７】
対象物識別子データ領域には、対象物を特定するための識別子に関するデータが記録される。
対象物座標とは、図２に示すように、対象物ｍ１，ｍ２，ｍ３の中心となる点Ｏ１，Ｏ２，Ｏ３の絶対座標である。なお、本実施形態における「絶対座標」が、請求項の「座標」に相当する。
【００４８】
図４に示すように、対象物情報記憶部２３には、対象物に関する対象物情報２３０が記録されている。この対象物情報２３０は、対象物特定情報２２０と同様に、対象物が登録されたときに記録される。また、対象物情報２３０は、対象物識別子、名称、所要時間、説明及びメッセージに関するデータを含んで構成される。
【００４９】
対象物識別子データ領域には、対象物を特定するための識別子に関するデータが記録される。
名称データ領域には、対象物の名称に関するデータが記録される。本実施形態では、対象物ｍ１，ｍ２，ｍ３に対応する名称データは、それぞれ「高原牧場」、「高原ホテル」、「○○山山頂」である。
【００５０】
所要時間データ領域には、望遠鏡１１の設置された展望台から、その対象物に行くまでに要する時間に関するデータが記録される。この所要時間は、例えば「車で１０分です」というように記録される。
【００５１】
説明データ領域には、対象物の説明に関するデータが記録される。この説明には、例えば「今年で創業１００周年です」などが用いられる。
メッセージデータ領域には、商店等の対象物からの表示依頼があったメッセージに関するデータが記録される。例えば、対象物が牧場の場合、この牧場に関するメッセージには、「ミルクの試飲ができます」などが用いられる。
【００５２】
図５に示すように、移動情報記憶部２４には、対象物相互に関する移動情報２４０が記録されている。具体的には、移動情報２４０は、利用者が過去に見ていた対象物（第１対象物）と現在見ている対象物（第２対象物）とに関する移動情報である。この移動情報２４０は、対象物の両方が対象物特定情報２２０及び対象物情報２３０に登録されたときに登録される。また、移動情報２４０は、新たな対象物が対象物特定情報２２０及び対象物情報２３０に登録された場合には、各対象物と新たな対象物との移動情報が記録される。この移動情報２４０は、移動情報識別子、第１対象物識別子、第２対象物識別子及び移動説明に関するデータを含んで構成される。
【００５３】
移動情報識別子データ領域には、移動情報を特定するための識別子に関するデータが記録される。
第１対象物識別子データ領域には、利用者が過去に見ていた対象物を特定するための対象物識別子に関するデータが記録される。
【００５４】
第２対象識別子データ領域には、利用者が現在見ている対象物を特定するための対象物識別子に関するデータが記録される。
移動説明データ領域には、第１対象物から第２対象物までの移動に関するデータが記録される。この移動説明データは、例えば、図９に示すように「高原牧場からは車で１０分です」という移動時間と交通手段とに関するデータを含む。
【００５５】
また、図１に示すように、情報提供システム２０の管理コンピュータ２１には、印刷装置３０が接続されている。このため、管理コンピュータ２１は、印刷装置３０に印刷情報を送信し、提供した情報を印刷装置３０において紙などに印刷させる。
【００５６】
次に、情報提供システム２０における情報提供方法の処理手順について、図６〜図１０に基づいて説明する。ここでは、まず、ウィンドウＷ１に対象物ｍ１が含まれる位置で望遠鏡１１が停止した場合について具体的に説明する。そして、その次に図８に示すようにウィンドウＷ１からウィンドウＷ２に望遠鏡１１が回動した場合について説明する。
【００５７】
（最初の回動停止処理）
利用者は、望遠鏡１１の制御装置１４の硬貨投入部に硬貨を投入する。これにより、望遠鏡１１の制御装置１４は風景をディスプレイ１２に表示するとともに、望遠鏡１１の回動を許容する。従って、利用者は、把持部１３を把持して、望遠鏡１１の所定範囲で水平方向及び垂直方向に望遠鏡１１を回動させることができる。
【００５８】
そして、利用者は、希望する対象物を観覧するために望遠鏡１１の回動を所定の位置で停止する。この場合、望遠鏡１１の制御装置１４は、回動が停止されたことを検出する（ステップＳ１−１）。具体的には、望遠鏡１１の制御装置１４は、仰角・俯角検出器と旋回角検出器からの検出データに基づいて、所定時間（例えば５秒）以上、望遠鏡１１の仰角・俯角及び旋回角が変化しない場合には、望遠鏡１１の回動が停止したことを検出する。ここでは、図７のウィンドウＷ１の映像５００が望遠鏡１１のディスプレイ１２に表示された状態で望遠鏡１１が停止されたと想定する。
【００５９】
次に、望遠鏡１１の制御装置１４は、回動を停止した望遠鏡１１のウィンドウＷ１に関する回動情報のデータを情報提供システム２０に送信する（ステップＳ１−２）。この回動情報のデータは、停止された望遠鏡１１の仰角・俯角、旋回角及びズーム倍率に関するデータを含む。
【００６０】
情報提供システム２０は、受信した回動情報のデータに基づいて、ディスプレイ１２に映し出されるウィンドウＷ１を特定する（ステップＳ１−３）。詳述すると、まず、管理
コンピュータ２１は、望遠鏡１１の制御装置１４から受信したデータに基づいて、望遠鏡１１のディスプレイ１２に表示されているウィンドウＷ１の座標、すなわち端ａ，ｂ，ｃ，ｄの絶対座標を算出する。本実施形態では、視野ＦＶの中心を絶対座標原点Ｏとする。
【００６１】
そして、管理コンピュータ２１は、ウィンドウＷの中心ＷＯの位置、すなわち絶対座標原点Ｏを基準とする絶対座標の中心ＷＯの位置を算出する。詳述すると、管理コンピュータ２１は、旋回角に基づいてウィンドウＷ１の中心ＷＯの絶対座標Ｘを算出し、仰角・俯角に基づいてウィンドウＷ１の中心ＷＯの絶対座標Ｙを算出する。そして、管理コンピュータ２１は、受信したズーム率に基づいて、中心ＷＯからの各端ａ，ｂ，ｃ，ｄの距離を定める。更に、管理コンピュータ２１は、中心ＷＯの絶対座標と、中心ＷＯからの各端ａ，ｂ，ｃ，ｄの距離とに基づいて、望遠鏡１１のディスプレイ１２に表示されるウィンドウＷ１の範囲、すなわち端ａ，ｂ，ｃ，ｄの絶対座標を算出する。
【００６２】
次に、管理コンピュータ２１は、対象物の特定を行う（ステップＳ１−４）。具体的には、管理コンピュータ２１は、算出したウィンドウＷ１の端ａ，ｂ，ｃ，ｄの絶対座標のデータと、対象物特定情報記憶部２２に記録されている対象物特定情報２２０の対象物座標とを比較する。そして、管理コンピュータ２１は、端ａ，ｂ，ｃ，ｄの絶対座標に基づいて、ウィンドウＷ１中に対象物座標が含まれる対象物ｍ１の対象物識別子を特定する。そして、管理コンピュータ２１は、後に印刷装置３０を介して紙に対象物ｍ１の情報を印刷するために、特定した対象物ｍ１の対象物識別子を図示しない観覧履歴情報記憶部に記録する。なお、このとき、ウィンドウＷ１中に対象物座標が設定された対象物がなかった場合には、処理を終了する。
【００６３】
続いて、管理コンピュータ２１は、特定した対象物の対象物情報を抽出する（ステップＳ１−５）。詳述すると、管理コンピュータ２１は、特定した対象物識別子に関連付けられた情報を、対象物情報記憶部２３の対象物情報２３０から取得する。このとき、取得される情報には、その対象物の名称、所要時間、対象物の説明及びメッセージが含まれる。
【００６４】
そして、管理コンピュータ２１は、ステップＳ１−４で抽出した対象物ｍ１の対象物識別子を第２対象物に関するデータとして観覧履歴情報記憶部に記録する（ステップＳ１−６）。このデータは、後述する移動説明の表示を行うために用いられる。ここで、抽出した対象物が複数ある場合には、管理コンピュータ２１は、ステップＳ１−３において算出したウィンドウＷ１の中心ＷＯに、最も近い中心座標を有する１つの対象物を記録する。
【００６５】
次に、管理コンピュータ２１は、観覧履歴情報記憶部に第１及び第２対象物に関するデータが記録されているか否かを確認する（ステップＳ１−７）。ここでは、利用者が硬貨を投入してから望遠鏡１１の回動停止が最初に行われたときであるため、観覧履歴情報記憶部には第２対象物に関するデータしか記録されていない。
【００６６】
この場合（ステップＳ１−７において「ＮＯ」の場合）、後述するステップＳ１−８をスキップし、管理コンピュータ２１は、望遠鏡１１の制御装置１４に表示情報を送信する（ステップＳ１−９）。このとき、管理コンピュータ２１は、まず、望遠鏡１１の映像に重ね合わせる透明レイヤとして、図７に示す文字情報画面５１０の画面データを作成する。具体的には、管理コンピュータ２１は、ステップＳ１−３において特定したウィンドウＷ１の大きさと同じ透明レイヤ上に、対象物情報を表示する表示部の範囲と位置を決定する。ここで、表示部の範囲は、対象物情報記憶部２３に記録された対象物情報２３０の各データ量に基づいて決定される。また、表示部の位置は対象物ｍ１の点Ｏ１の位置に基づいて決定される。そして、表示部内に、対象物情報２３０含まれる名称、説明やメッセージ等に関する文字データを表示する。このようにして、管理コンピュータ２１は、文字データを表示させた表示部を作成した文字情報画面５１０を作成し、この文字情報画面５１
０のデータを送信する。
【００６７】
そして、望遠鏡１１の制御装置１４は、受信した画面データに基づいて、対象物情報を表示する（ステップＳ１−１０）。具体的には、制御装置１４は、図７に示すように、表示されている映像５００に、文字情報画面５１０を重ねる。これにより、ディスプレイ１２には合成映像５２０が表示される。
【００６８】
一方、画面データを送信した情報提供システム２０の管理コンピュータ２１は、第１及び第２対象物の更新を行う（ステップＳ１−１１）。具体的には、管理コンピュータ２１は、ステップＳ１−６において第２対象物識別子として記録されていた対象物識別子（ここでは、対象物ｍ１の対象識別子）のデータを、第１対象物識別子として記録する。なお、上記ステップＳ１−２からステップＳ１−１１までの処理が行われる間に、望遠鏡１１が回動を開始した場合には、回動を開始した時点で処理が中止される。
【００６９】
その後、利用者が望遠鏡１１を回動させて、図８に示すようにウィンドウＷ１からウィンドウＷ２に移動させる場合を想定する。すなわち、望遠鏡１１の制御装置１４は、仰角・俯角検出器と旋回角検出器のデータに基づいて、望遠鏡１１が回動を再開したことを検出する（ステップＳ１−１２）。この場合、制御装置１４は、ステップＳ１−１０において表示した対象物情報の表示を停止する（ステップＳ１−１３）。
【００７０】
（２回目以降の回動停止処理）
その後、望遠鏡１１の制御装置１４が、図８のウィンドウＷ２を表示して停止された場合を想定する。これにより、望遠鏡１１の制御装置１４は、仰角・俯角検出器と旋回角検出器の検出データから望遠鏡１１が停止したことを検出する（ステップＳ１−１）。これにより、図６に示す処理が繰り返して行われる。
【００７１】
すなわち、前回と同様に、望遠鏡１１の制御装置１４は、停止した状態における回動情報が情報提供システム２０に送信する（ステップＳ１−２）。情報提供システム２０の管理コンピュータ２１は、受信した情報に基づいて、ウィンドウＷ２を特定し（ステップＳ１−３）、更にウィンドウＷ２内の対象物ｍ２を特定する（ステップＳ１−４）。そして、管理コンピュータ２１は、対象物ｍ２の対象物情報を抽出し（ステップＳ１−５）、特定した対象物ｍ２の対象識別子を第２対象物として観覧履歴情報記憶部に記録する（ステップＳ１−６）。
【００７２】
次に、管理コンピュータ２１は、第１及び第２対象物があるか否かを確認する（ステップＳ１−７）。このとき、２回目の回動停止であるため、管理コンピュータ２１はステップＳ１−１１の処理をすでに行っており、観覧履歴情報記憶部には第１対象物に関するデータが記録されている。この場合（ステップＳ１−７において「ＹＥＳ」の場合）、管理コンピュータ２１は、その移動説明のデータを取得する（ステップＳ１−８）。具体的には、管理コンピュータ２１は、観覧履歴情報記憶部に記録された第１対象物及び第２対象物の対象識別子に基づいて、移動情報記憶部２４から該当する移動情報２４０を抽出する。更に、管理コンピュータ２１は、抽出した移動情報２４０から移動説明のデータを取得する。本実施形態では、管理コンピュータ２１は、第１対象物として対象物ｍ１の対象物識別子が記録され、第２対象物として対象物ｍ２の対象物識別子が記録されている移動情報２４０の移動説明データを取得する。そして、管理コンピュータ２１は、後に印刷装置３０を用いて紙に移動情報２４０を印刷させるために、その移動情報識別子を観覧履歴情報記憶部に記憶する。
【００７３】
そして、管理コンピュータ２１は、望遠鏡１１の制御装置１４に表示情報を送信する（ステップＳ１−９）。具体的には、管理コンピュータ２１は、ステップＳ１−６において
抽出した対象物ｍ２に関する対象物情報と、ステップＳ１−８において取得した移動説明データとに基づいて、文字情報画面の画面データを作成し、この画面データを制御装置１４に送信する。
【００７４】
そして、望遠鏡１１は、受信した画面データに基づく文字情報画面をウィンドウＷ２に重ねるようにして、図９に示す合成映像６００をディスプレイ１２に表示する（ステップＳ１−１０）。この合成映像６００は、望遠鏡１１が表示する映像と、透明レイヤ上に作成された文字情報画面との合成映像である。また、合成映像６００の透明レイヤは、ウィンドウＷ２に表示されている対象物ｍ２に関する情報と、ウィンドウＷ１で表示した対象物ｍ１から対象物ｍ２までの移動情報を含む。ここでは、「対象物ｍ２に関する情報」は、その名称である「高原ホテル」、所要時間である「車まで１０分です」及び説明である「今年で創業１００周年の老舗です」というものである。また、「対象物ｍ１から対象物ｍ２までの移動情報」は、具体的には「（対象物ｍ１である）高原牧場からは車で１０分です」という移動説明である。
【００７５】
このようにして、望遠鏡１１の制御装置１４及び情報提供システム２０の管理コンピュータ２１は、上述したステップＳ１−１〜Ｓ１−１３の処理を、硬貨が投入してから所定時間が経過するまで行う。
【００７６】
（観覧終了後の処理）
次に、利用者が望遠鏡１１による観覧を終了した後の処理について、図１０を参照して説明する。
【００７７】
制御装置１４に硬貨が投入してから所定時間が経過すると、制御装置１４は、ディスプレイ１２の表示を停止する。そして、望遠鏡１１の制御装置１４は、望遠鏡１１の観覧が終了したという終了信号を情報提供システム２０に送信する（ステップＳ２−１）。
【００７８】
情報提供システム２０の管理コンピュータ２１は、終了信号を制御装置１４から受信すると、印刷データを作成する（ステップＳ２−２）。具体的には、管理コンピュータ２１は、観覧履歴情報記憶部に記憶した対象物識別子及び移動情報識別子に関する情報を、対象物情報記憶部２３及び移動情報記憶部２４から取得する。そして、この情報を含む印刷データを作成する。
【００７９】
そして、管理コンピュータ２１は、作成した印刷データを印刷装置３０に送信する（ステップＳ２−３）。そして、管理コンピュータ２１は、観覧履歴情報記憶部に記憶していた対象物識別子及び移動情報識別子のデータを消去する（ステップＳ２−４）。
【００８０】
一方、印刷装置３０は、受信した印刷データに基づいて印刷を行う（ステップＳ２−５）。そして、印刷装置３０において印刷された紙は、その後、望遠鏡１１の利用者に渡される。これにより、利用者は、望遠鏡１１を用いて観覧した対象物に関する情報を紙で受け取ることができる。
【００８１】
以上、述べたように本実施形態によれば、以下のような効果を得ることができる。
・本実施形態においては、管理コンピュータ２１は、望遠鏡１１の回動が所定時間以上停止されると、望遠鏡１１の仰角・俯角、旋回角及びズーム率のデータを受信し、このデータに基づいて、ディスプレイ１２に表示されるウィンドウＷ１の絶対座標を算出する。そして、管理コンピュータ２１は、算出した絶対座標と、対象物座標とに基づいて、ウィンドウＷ１，Ｗ２に表示される対象物ｍ１を特定し、その対象物ｍ１に関する情報を対象物情報記憶部２３から取得する。管理コンピュータ２１は、取得した対象物ｍ１に関する情報を表示する文字情報画面５１０の画面データを作成する。そして、管理コンピュータ
２１は、望遠鏡１１において表示されている映像５００に合成させて合成映像５２０を表示させるように、作成した画面データを制御装置１４に送信する。すなわち、利用者が望遠鏡１１の回動を停止させると、望遠鏡１１のディスプレイ１２に表示された対象物ｍ１に関する情報が合成映像５２０として自動的に表示される。このため、望遠鏡１１の制御装置１４は、管理コンピュータ２１と協働して、利用者が観覧している対象物ｍ１についての情報を提供することができる。従って、利用者は、観覧している対象物の情報をタイミングよく容易に取得することができる。
【００８２】
また、本実施形態においては、管理コンピュータ２１は、算出したウィンドウＷ１，Ｗ２の座標と、対象物特定情報記憶部２２に記憶されている対象物ｍ１〜ｍ３の座標とを比較することにより、対象物ｍ１，ｍ２に関する情報を表示して提供する。このため、管理コンピュータ２１は、例えば濃霧などで対象物ｍ１〜ｍ３が実際にウィンドウＷに表示されていない場合でも、対象物ｍ１〜ｍ３の情報を表示する。従って、利用者は、望遠鏡１１を使用するために硬貨を投入したが、風景が全く見えない場合であっても、対象物の情報を取得することができる。
【００８３】
・本実施形態においては、望遠鏡１１は、停止していた望遠鏡１１の回動再開を検出すると（ステップＳ１−１２）、表示されていた文字情報画面５１０の表示を停止する（ステップＳ１−１３）。このため、利用者が望遠鏡１１を回動させて、他の対象物を検索している場合には、情報の表示が停止されるので、文字情報画面５１０の文字情報に邪魔されることなく、効率よく他の対象物を見つけることができる。
【００８４】
・本実施形態においては、管理コンピュータ２１は、望遠鏡１１に情報を提供した対象物ｍ１を第１対象物とし（ステップＳ１−１１）、望遠鏡１１の回動が再び停止したときの対象物ｍ２を第２対象物として、そのデータを観覧履歴情報記憶部に記録する（ステップＳ１−６）。そして、観覧履歴情報記憶部に第１対象物と第２対象物とに関するデータが記録されている場合（ステップＳ１−７において「ＹＥＳ」の場合）には、管理コンピュータ２１は、第１対象物から第２対象物までの移動説明を移動情報記憶部２４から取得して、合成映像６００に表示する。このため、利用者は詳細に観覧していた第１対象物と第２対象物に関する所要説明の情報を容易に得ることができる。
【００８５】
・本実施形態においては、管理コンピュータ２１は、合成映像５２０，６００として表示させる情報として、望遠鏡１１が設置された展望台から対象物ｍ１，ｍ２までの所要時間を表示して提供する。このため、利用者は、対象物までの所要時間が表示されるので、自分の都合を考慮して、その対象物ｍ１，ｍ２まで行くか否かを容易に判断することができる。
【００８６】
・本実施形態においては、管理コンピュータ２１は、利用者が硬貨を投入してから望遠鏡１１の使用を許容された時間において、望遠鏡１１に表示された対象物ｍ１，ｍ２に関する情報及びこれらの対象物相互の移動情報を印刷装置３０に印刷させる。このため、利用者に対して提供した対象物に関する情報及び移動情報を紙で提供することができる。従って、利用者は、取得した情報を容易に保存することができる。
【００８７】
・本実施形態においては、管理コンピュータ２１は、対象物が商店であった場合に、その商店から表示依頼のあったメッセージを含ませた文字情報画面５１０の画面データを作成し、画面に重ねるように表示した。このため、店舗は、メッセージによる広告効果が期待できるので、より多くの利用者を集めることができる。
【００８８】
なお、上記実施形態は以下のように変更してもよい。
○上記実施形態では、情報提供システム２０と、望遠鏡１１の制御装置１４とが協働す
ることによりコンピュータとして機能させた。これに代えて、情報提供システム２０の機能を制御装置１４に含ませて、制御装置１４のみによって処理を行わせてもよい。また、制御装置１４に、印刷装置３０を設けて、利用者が望遠鏡１１を用いた観覧を終了したときに、そのプリンタから対象物ｍ１〜ｍ３に関する情報を印刷してもよい。
【００８９】
○上記実施形態では、望遠鏡１１に表示する情報は、対象物情報２３０として対象物情報記憶部２３に予め記憶させた。これに限定されず、表示される対象物ｍ１〜ｍ３についての情報は、インターネットを介して取得し、この取得した情報に基づいて表示を行うようにしてもよい。
【００９０】
また、管理コンピュータ２１は、望遠鏡１１の回動の停止を検出したときの時刻に基づいて、表示する情報を変更してもよい。具体的には、管理コンピュータ２１は、表示させるメッセージに関連付けて、表示時間帯を対象物情報記憶部２３に記憶させておく。そして、管理コンピュータ２１は、望遠鏡１１の回動の停止を検出したときの時刻のデータを望遠鏡１１から受信すると、その時刻のデータと、メッセージに関連付けた表示時間帯とを比較する。そして、表示時間帯に、受信したデータの時刻が含まれている場合には、そのメッセージを望遠鏡１１に表示させる。また、表示時間帯に、受信したデータの時刻が含まれない場合には、そのメッセージを望遠鏡１１に表示させない。これにより、所定の時刻にのみ、効果的に情報が表示されるので、より効果的に所定の情報を提供することができる。
【００９１】
○上記実施形態では、望遠鏡１１のウィンドウＷ１に表示されている対象物についての情報を表示した。これに代えて、図１１に示すように、ウィンドウＷ１に、表示されていない対象物に関する情報を、例えば矢印７１，７２のように表示してもよい。ここで、矢印７１は、対象物ｍ３の名称と、ウィンドウＷ１から対象物ｍ３を観覧するために、ウィンドウＷ１に対して対象物ｍ３が存在する方向を示している。また、矢印７２は、対象物ｍ２の名称と、ウィンドウＷ１に対して対象物ｍ２が存在する方向を示している。これにより、利用者は、望遠鏡１１を用いて風景を観覧したまま、目的の対象物を容易に探し出すことができる。
【００９２】
また、矢印７１，７２は、望遠鏡１１の回動が停止したときには表示させずに、望遠鏡１１が回動されているときにのみ表示させてもよい。具体的には、管理コンピュータ２１は、所定間隔（例えば０．５秒）毎に、制御装置１４から回動情報を取得し、望遠鏡１１のウィンドウＷの変化を取得する。そして、管理コンピュータ２１は、このウィンドウＷの変化に応じて、所定の対象物の方向を算出し、その方向と、その対象物の名称とを制御装置１４に送信して、ディスプレイ１２に表示させる。これにより、利用者は、特定の対象物を指標にしながら、所望する対象物を望遠鏡で容易に探して観覧することができる。
【００９３】
○上記実施形態では、管理コンピュータ２１は、利用者が望遠鏡１１の回動を停止したときに表示された第１対象物と、その次に、望遠鏡１１の回動を停止したときに表示された第２対象物との所要時間を表示させた。これに代えて、表示させた対象物をすべて記録しておき、それらすべての対象物と現在観覧している対象物との相互に関する情報を、望遠鏡１１に表示させるようにしてもよい。
【００９４】
○上記実施形態では、望遠鏡１１が対象物ｍ２を観覧するように回動を停止したときに、対象物ｍ１から対象物ｍ２への移動情報を表示した。このとき、管理コンピュータ２１は、対象物ｍ１から対象物ｍ２に至る望遠鏡１１の回動の軌跡に関する情報に応じて、対象物ｍ２に表示する情報を選択してもよい。具体的には、情報提供システム２０に、望遠鏡１１の回動軌跡の特徴に応じて対象物情報を選択する選択基準に関する情報を記憶する記憶部を設ける。更に、制御装置１４は、望遠鏡１１の回動時の仰角・俯角及び旋回角を
逐次記録する。そして、制御装置１４は、記録した仰角・俯角及び旋回角の情報を、望遠鏡１１の回動軌跡に関する情報として回動情報に含めて管理コンピュータ２１に送信する（ステップＳ１−２）。そして、管理コンピュータ２１は、受信した回動情報から望遠鏡１１の回動軌跡を求める。更に、管理コンピュータ２１は、この回動軌跡と選択基準とに基づいて、取得した対象物に関する情報を選択する。そして、管理コンピュータ２１は、選択した情報から表示情報を作成して、制御装置１４に送信する（ステップＳ１−９）。例えば、対象物ｍ１から対象物ｍ２まで直線的に望遠鏡１１が回動した場合には、対象物ｍ１から対象物ｍ２の移動情報を表示させずに、対象物ｍ２に関する情報を優先的に表示させる。一方、対象物ｍ１から対象物ｍ２まで道路を観覧しながら望遠鏡１１が回動した場合には、対象物ｍ１から対象物ｍ２の移動情報を優先的に表示させる。これにより、対象物ｍ１から対象物ｍ２までの詳細な移動情報（例えば車及び徒歩の両方による所要時間）などを提供することができる。このため、利用者に適した多様な情報を効率よく提供することができる。
【００９５】
○上記実施形態では、管理コンピュータ２１が、対象物特定情報記憶部２２に記録された対象物の中心座標が、表示されるウィンドウＷの座標中である場合に、その対象物を表示させた。表示方法はこれに限られるものではなく、例えば、対象物特定情報記憶部２２に対象物座標範囲を記憶させておく。そして、管理コンピュータ２１は、ウィンドウＷの表示範囲と、対象物の座標範囲とを比較し、対象物の座標範囲の一部がウィンドウＷに重なっている場合には、その対象物に関する情報を望遠鏡１１に表示させる。これにより、管理コンピュータ２１は、特殊形状の対象物のように、中心がウィンドウＷ中にないが、その大部分が表示されている場合には、その対象物についての情報を提供することができる。
【００９６】
○上記実施形態では、望遠鏡１１の制御装置１４は、回動を停止した望遠鏡１１の仰角・俯角、旋回角及びズーム倍率に関するデータを情報提供システム２０に送信し、これらの情報に基づいて対象物を特定した（ステップＳ１−４）。対象物を特定する方法は、これに限らず、制御装置１４が回動を停止したときの対象物の焦点距離情報に基づいて行ってもよい。具体的には、対象物情報記憶部２３の対象物情報２３０に、望遠鏡１１からの対象物ｍ１，ｍ２，ｍ３までの焦点距離のデータを含ませる。すなわち、対象物情報２３０を対象物距離情報記憶部とする。そして、焦点調節手段としての望遠鏡１１のオートフォーカス機構から、ウィンドウＷの焦点距離を計測する。情報提供システム２０の管理コンピュータ２１は、計測した焦点距離と、対象物情報２３０に含ませた対象物ｍ１，ｍ２，ｍ３までの焦点距離とを比較し、利用者が閲覧している対象物を特定する。すなわち、管理コンピュータ２１は、焦点対象物特定段階処理を行い、焦点対象物特定手段として機能する。これにより、望遠鏡１１からの距離は異なる対象物が、視野ＦＶにおいて近接している場合には、利用者が観覧したい対象物を容易に特定することができる。
【００９７】
○上記実施形態では、管理コンピュータ２１は、望遠鏡１１が設置された展望台から対象物までの所要時間を望遠鏡１１に表示させた。これに限定させることなく、望遠鏡１１が設置された展望台から対象物までの距離情報（例えば「２ｋｍ」）、交通手段情報（例えば「最寄り駅は○○です」）などの情報であってもよい。これによって、利用者は、対象物に行くための情報を得ることができる。
【００９８】
○上記実施形態では、情報提供システム２０の管理コンピュータ２１は、１つの望遠鏡１１に接続されているとして説明した。情報提供システム２０に複数の望遠鏡１１を接続し、管理コンピュータ２１が各望遠鏡１１に表示する情報を管理してもよい。この場合には、情報提供システム２０が情報を管理するため、複数の望遠鏡１１に表示する情報の更新を効率的に行うことができる。
【００９９】
○上記実施形態では、観覧装置としての望遠鏡１１に所定の情報を提供した。しかしながら、観覧装置は、特定の対象物を観覧でき、その対象物の位置に基づいて、その対象物に関連した情報を提供できるものであれば、これに限られるものではない。
【図面の簡単な説明】
【０１００】
【図１】本実施形態におけるシステムの概略図。
【図２】望遠鏡の視野範囲を説明するための概念図。
【図３】対象物特定情報記憶部に記録されたデータの説明図。
【図４】対象物情報記憶部に記録されたデータの説明図。
【図５】移動情報記憶部に記録されたデータの説明図。
【図６】本実施形態の情報提供処理の処理手順を説明するための流れ図。
【図７】情報提供処理における表示画面を説明するための説明図。
【図８】視野範囲内におけるウィンドウの移動を説明するための説明図。
【図９】ウィンドウの移動を説明するための説明図。
【図１０】本実施形態の終了処理の処理手順を説明するための流れ図。
【図１１】変更例におけるウィンドウの合成映像を説明するための説明図。
【符号の説明】
【０１０１】
Ｘ，Ｙ…絶対座標、ｍ１，ｍ２，ｍ３…対象物、１１…観覧装置としての望遠鏡、１４…コンピュータを構成する制御装置、２１…コンピュータを構成する管理コンピュータ、２２…対象物特定情報記憶部、２３…対象物情報記憶部、３０…印刷装置。
【図１】
2005175712.tif 000003
【図２】
2005175712.tif 000004
【図３】
2005175712.tif 000005
【図４】
2005175712.tif 000006
【図５】
2005175712.tif 000007
【図６】
2005175712.tif 000008
【図７】
2005175712.tif 000009
【図８】
2005175712.tif 000010
【図９】
2005175712.tif 000011
【図１０】
2005175712.tif 000012
【図１１】
2005175712.tif 000013